(57)【要約】【課題】容器本体の下縁部が一定の方向に確実に折れ曲がるパウチ容器を提供する。【解決手段】フレキシブルシートによって袋状に形成された容器本体１０は、表裏一対の外装シート１１ａ、１１ｂ及び両外装シート１１ａ、１１ｂの両側部から内側に折り込まれた左右一対のガセットシート１２、１２とから構成されており、ガセットシート１２、１２の内面の周縁が外装シート１１ａ、１１ｂの内面にヒートシールされると共に、外装シート１１ａ、１１ｂの内面の上縁部及び下縁部が相互にヒートシールされることで、袋状に形成されている。ガセットシート１２及び外装シート１１ａ、１１ｂの下端コーナー部については、外装シート１１ａ、１１ｂの下方に向かって、ヒートシール領域が内方に張り出しており、裏側の外装シート１１ｂは、下端コーナ部におけるガセットシート１２、１２とのヒートシール部分が一部切除されている。【選択図】        図２
2005178884.tif 000002
【特許請求の範囲】
【請求項１】
表裏一対の外装シートと、両外装シートの両側部から内側に折り込まれてガセット部を形成する左右一対のガセットシートとを有し、
前記ガセットシートの周縁部が前記外装シートにヒートシールされると共に前記外装シートの上縁部及び下縁部が相互にヒートシールされることで、袋状に形成されたパウチ容器において、
いずれか一方の前記外装シートが、他方の前記外装シートよりも下端コーナ部における前記ガセットシートとのヒートシール部分の面積が小さくなっていることを特徴とするパウチ容器。
【請求項２】
表裏一対の外装シートと、両外装シートの両側部から内側に折り込まれてガセット部を形成する左右一対のガセットシートとを有し、
前記ガセットシートの周縁部が前記外装シートにヒートシールされると共に前記外装シートの上縁部及び下縁部が相互にヒートシールされることで、袋状に形成されたパウチ容器において、
いずれか一方の前記外装シートが、他方の前記外装シートよりも腰が強くなっていることを特徴とするパウチ容器。
【発明の詳細な説明】
【技術分野】
【０００１】
この発明は、清涼飲料等の液体飲料や食品、医薬品、洗剤等の液体や粘性体を充填するパウチ容器に関する。
【背景技術】
【０００２】
近年、清涼飲料等の液体飲料を充填する容器としては、例えば、図３に示すように、表裏一対の外装シート５２ａ、５２ｂの両側部からガセットシート５３が内側に折り込まれ、そのガセットシート５３の周縁部が外装シート５２ａ、５２ｂにヒートシールされると共に外装シート５２ａ、５２ｂの上縁部及び下縁部が相互にヒートシールされることによって袋状に形成されたサイドガセットタイプの容器本体５１に、スクリューキャップ等の口栓によって飲口や注口となる口部を開閉することができるスパウト５４が装着されたスパウト付きパウチ容器５０が使用されるようになってきている。
【０００３】
【特許文献１】特開平１０−７２０４４号公報
【発明の開示】
【発明が解決しようとする課題】
【０００４】
ところで、こういったサイドガセットタイプのパウチ容器５０は、図４（ａ）に示すように、内容物を充填した状態で、容器本体５１の底部から下方側に突出する、容器本体５１におけるヒートシールされた下縁部５１Ａを、同図（ｂ）に示すように、容器本体５１の背面側に折り曲げることによって、容器本体５１の底部ができるだけフラットになるようにして自立性を付与している。
【０００５】
しかしながら、こういったパウチ容器５０では、容器本体５１の下縁部５１Ａを強制的に一方向に折り曲げるのではなく、容器本体５１の底部をフラットに形成するために、内容物が充填されたパウチ容器５０を平坦面の上に落下させる際に、容器本体５１の下縁部５１Ａが自然に折り曲がるようになっているので、必ずしも、下縁部５１Ａが容器本体５１の背面側に折り曲がるとは限らず、製袋されたパウチ容器５０には、容器本体５１の下縁部５１Ａが容器本体５１の背面側に折り曲げられたものと、容器本体５１の正面側に折り曲げられたものとが混在することになり、統一した形態のパウチ容器５０が得られないといった問題がある。
【０００６】
そこで、この発明の課題は、容器本体の下縁部が一定の方向に確実に折れ曲がるパウチ容器を提供することにある。
【課題を解決するための手段】
【０００７】
上記の課題を解決するため、請求項１にかかる発明は、表裏一対の外装シートと、両外装シートの両側部から内側に折り込まれてガセット部を形成する左右一対のガセットシートとを有し、前記ガセットシートの周縁部が前記外装シートにヒートシールされると共に前記外装シートの上縁部及び下縁部が相互にヒートシールされることで、袋状に形成されたパウチ容器において、いずれか一方の前記外装シートが、他方の前記外装シートよりも下端コーナ部における前記ガセットシートとのヒートシール部分の面積が小さくなっていることを特徴とするパウチ容器を提供するものである。
【０００８】
また、上記の課題を解決するため、請求項２にかかる発明は、表裏一対の外装シートと、両外装シートの両側部から内側に折り込まれてガセット部を形成する左右一対のガセットシートとを有し、前記ガセットシートの周縁部が前記外装シートにヒートシールされると共に前記外装シートの上縁部及び下縁部が相互にヒートシールされることで、袋状に形成されたパウチ容器において、いずれか一方の前記外装シートが、他方の前記外装シートよりも腰が強くなっていることを特徴とするパウチ容器を提供するものである。
【０００９】
なお、ここにいう表裏一対の外装シート及び左右一対のガセットシートは、それぞれが分離独立しているものに限定されるものではなく、例えば、一方の外装シートに、一方のガセットシート、他方の外装シート、他方のガセットシートが順次連設された１枚のシートや、一方の外装シートの両側縁にガセットシートがそれぞれ連設された１枚のシートのように、外装シートとガセットシートとが予め連設されている１枚のシートを折り曲げて使用する場合も含まれる。
【発明の効果】
【００１０】
以上のように、請求項１にかかる発明のパウチ容器は、いずれか一方の前記外装シートが、他方の前記外装シートよりも下端コーナ部における前記ガセットシートとのヒートシール部分の面積が小さくなっているので、相互にヒートシールされている外装シートの下縁部は、常に、ガセットシートとのヒートシール部分の面積が小さくなっているほうの外装シート側に折れ曲がることになり、パウチ容器の形態が統一される。
【００１１】
また、請求項２にかかる発明のパウチ容器は、いずれか一方の外装シートが、他方の外装シートよりも腰が強くなっているので、相互にヒートシールされている外装シートの下縁部は、常に、腰の弱いほうの外装シート側に折れ曲がることになり、パウチ容器の形態が統一される。
【発明を実施するための最良の形態】
【００１２】
以下、実施の形態について図面を参照して説明する。図１及び図２に示すように、このパウチ容器１は、例えば、ポリエチレンテレフタレートフィルム等のポリエステルフィルムからなる厚さ１２μｍの基材層の内面側に、アルミニウム箔等からなる厚さ７μｍのガスバリア層、ポリアミドフィルムからなる厚さ１５μｍの補強層及びポリエチレンフィルムからなる厚さ７０〜１００μｍのシーラント層が順次積層されたフレキシブルシートによって袋状に形成された容器本体１０と、この容器本体１０に取り付けられるポリエチレン等の熱接着性樹脂によって形成されたスパウト２０とから構成されている。
【００１３】
前記容器本体１０は、図２（ａ）、（ｂ）に示すように、上述したフレキシブルシートによって形成された、表裏一対の外装シート１１ａ、１１ｂ及び両外装シート１１ａ、１１ｂの両側部から内側に折り込まれて左右のガセット部を形成する左右一対のガセットシート１２、１２とから構成されており、折り込まれたガセットシート１２、１２の内面の周縁が外装シート１１ａ、１１ｂの内面にヒートシールされると共に、外装シート１１ａ、１１ｂの内面の上縁部及び下縁部が相互にヒートシールされることで、袋状に形成されている。なお、図２における網掛け表示部分が、容器本体１０のヒートシール部分を示している。
【００１４】
また、容器本体１０におけるガセットシート１２及び外装シート１１ａ、１１ｂの下端コーナー部については、図２に示すように、外装シート１１ａ、１１ｂの下方に向かって、ヒートシール領域が内方に張り出しており、裏側の外装シート１１ｂは、同図（ｂ）に示すように、下端コーナ部におけるガセットシート１２、１２とのヒートシール部分が一部切除されている。
【００１５】
前記スパウト２０は、図１及び図２に示すように、ポリエチレンやポリプロピレン等により形成され、袋状の容器本体１０に取り付けられる固着部２１と、この固着部２１の上部に設けられた、スクリューキャップ２２によって開閉可能な飲口または注口となる口部と、固着部２１の下部に設けられた、容器本体１０内に充填された内容物を吸い上げる導出管２３とから構成されており、導出管２３が容器本体１０内に挿入された状態で、固着部２１の側面が容器本体１０の上縁部にヒートシールされている。
【００１６】
以上のように、このパウチ容器１は、表裏一対の外装シート１１ａ、１１ｂのうち、裏側の外装シート１１ｂの下端コーナ部におけるガセットシート１２、１２とのヒートシール部分が一部切除されることによって、裏側の外装シート１１ｂが、表側の外装シート１１ａよりも下端コーナ部におけるガセットシート１２、１２とのヒートシール部分の面積が小さくなっているので、相互にヒートシールされている外装シート１１ａ、１１ｂの下縁部は、下端コーナ部が一部切除されている裏側の外装シート１１ｂ側に折れ曲がり易くなっている。なお、図１には、容器本体１０に内容物を充填した直後であって、相互にヒートシールされている外装シート１１ａ、１１ｂの下縁部を折り曲げる前の状態を示している。
【００１７】
従って、容器本体１０の底部をフラットに形成するために、内容物が充填されたパウチ容器１を平坦面の上に落下させると、容器本体１０の下縁部は、常に、下端コーナ部が一部切除されている裏側の外装シート１１ｂ側、即ち、容器本体１０の背面側に折れ曲がることになり、内容物が充填された状態のパウチ容器１の形態が統一される。
【００１８】
特に、このパウチ容器１では、相互にヒートシールされている外装シート１１ａ、１１ｂの下縁部が、容器本体１０の背面側に折れ曲がるので、このパウチ容器１を陳列する際、パウチ容器１の頭部が後方側に傾いても、パウチ容器１の正面側から、折れ曲がった外装シート１１ａ、１１ｂの下縁部が視認されることがなく、良好な陳列状態を維持することができる。
【００１９】
また、このパウチ容器１では、裏側の外装シート１１ｂの下端コーナ部におけるガセットシート１２、１２とのヒートシール部分が一部切除されているので、表裏一対の外装シートの下端コーナ部が全く切除されていない従来のパウチ容器に比べて、折れ曲がった状態における外装シート１１ａ、１１ｂの下縁部のスプリングバック力が小さくなって、折れ曲がる前の状態に復元しにくくなるので、パウチ容器１自体の自立安定性も向上するという効果が得られる。
【００２０】
なお、上述した実施形態では、相互にヒートシールされている外装シート１１ａ、１１ｂの下縁部が、常に、容器本体１０の背面側に折れ曲がるように、裏側の外装シート１１ｂの下端コーナ部におけるガセットシート１２、１２とのヒートシール部分を一部切除しているが、これに限定されるものではなく、例えば、表側の外装シート１１ａの下端コーナ部におけるガセットシート１２、１２とのヒートシール部分を一部切除することによって、外装シート１１ａ、１１ｂの下縁部を容器本体１０の正面側に折れ曲がるようにすることも可能である。
【００２１】
また、上述した実施形態では、相互にヒートシールされている外装シート１１ａ、１１ｂの下縁部が、常に、容器本体１０の背面側に折れ曲がるように、裏側の外装シート１１ｂの下端コーナ部におけるガセットシート１２、１２とのヒートシール部分だけを一部切除することによって、裏側の外装シート１１ｂが、表側の外装シート１１ａよりも下端コーナ部におけるガセットシート１２、１２とのヒートシール部分の面積が小さくなるようにしているが、これに限定されるものではなく、例えば、裏側の外装シート１１ｂだけでなく、表側の外装シート１１ａの下端コーナ部におけるガセットシート１２、１２とのヒートシール部分を一部切除することも可能であり、その場合は、裏側の外装シート１１ｂの切除量を、表側の外装シート１１ａの切除量に比べて大きくしておけばよい。
【００２２】
また、上述した実施形態では、外装シート１１ａ、１１ｂの下縁部が常に一定の方向に折れ曲がるように、裏側の外装シート１１ｂの下端コーナ部におけるガセットシート１２、１２とのヒートシール部分を一部切除しているが、これに限定されるものではなく、例えば、表裏一対の外装シートとして、それぞれ厚みや材質の異なるフレキシブルシートを使用することにより、表側の外装シートと裏側の外装シートとの間で腰の強さを変えるようにしておくと、相互にヒートシールされている外装シートの下縁部が、必ず、腰の弱いほうの外装シート側に折れ曲がることになる。
【００２３】
例えば、上述したパウチ容器１の容器本体１０を形成しているフレキシブルシートの場合は、表裏一対の外装シートのうち、いずれか一方の外装シートとして使用しているフレキシブルシートの基材層（厚さ１２μｍ）を４μｍ程度厚くしたり、シーラント層（厚さ７０〜１００μｍ）を２０μｍ程度厚くしたりすることが考えられる。
【００２４】
また、上述した各実施形態では、袋状の容器本体１０にスパウト２０が装着されたパウチ容器１について説明したが、これに限定されるものではなく、スパウトのないパウチ容器についても本発明を適用することができることはいうまでもない。
【図面の簡単な説明】
【００２５】
【図１】この発明にかかるパウチ容器の一実施形態を示す斜視図である。
【図２】（ａ）は同上のパウチ容器を折り畳んだ状態を示す正面図、（ｂ）は同上のパウチ容器を折り畳んだ状態を示す背面図である。
【図３】従来のサイドガセットタイプのパウチ容器を示す斜視図である。
【図４】（ａ）、（ｂ）は同上のパウチ容器の問題点を説明するための説明図である。
【符号の説明】
【００２６】
１  パウチ容器
１０  容器本体
１１ａ、１１ｂ  外装シート
１２  ガセットシート
２０  スパウト
２１  固着部
２２  スクリューキャップ
２３  導出管
【図１】
2005178884.tif 000003
【図２】
2005178884.tif 000004
【図３】
2005178884.tif 000005
【図４】
2005178884.tif 000006